(57)【特許請求の範囲】
【請求項１】
加湿待ち空間に対する加湿目標パラメータを取得するステップと、
上記加湿目標パラメータに達するまでの加湿器に必要な水使用量を特定するステップと、
上記水使用量が付加されたプロンプト情報を出力するステップと
を含み、
上記プロンプト情報を出力するステップは、
タンク内の水が上記水使用量に達した際に上記加湿器にリマインド情報を出力するようにするための上記プロンプト情報を、上記加湿器に送信するステップ
を含むことを特徴とする加湿器の水使用量取得方法。
【請求項２】
上記加湿目標パラメータは、目標湿度、或いは、目標加湿時間の長さを含む
ことを特徴とする請求項１に記載の加湿器の水使用量取得方法。
【請求項３】
上記加湿目標パラメータが目標湿度であると、上記加湿目標パラメータに達するまでの加湿器に必要な水使用量を特定するステップは、
上記加湿待ち空間の床面積及び現在湿度を取得するステップと、
上記加湿待ち空間の床面積、現在湿度及び目標湿度に基づいて、上記目標湿度に達するまでの加湿器に必要な水使用量を特定するステップと
を含むことを特徴とする請求項２に記載の加湿器の水使用量取得方法。
【請求項４】
上記加湿待ち空間の床面積、現在湿度及び目標湿度に基づいて、上記目標湿度に達するまでの加湿器に必要な水使用量を特定するステップは、
以下の式に従って、上記目標湿度に達するまでの加湿器に必要な水使用量であるＶを特定するステップを含み、
Ｖ＝（ｔ１−ｔ０)×ｓ×ｗ１、
その中、上記ｔ１は目標湿度であり、上記ｔ０は現在湿度であり、上記ｓは上記加湿待ち空間の床面積であり、上記ｗ１は第１係数である
ことを特徴とする請求項３に記載の加湿器の水使用量取得方法。
【請求項５】
上記加湿目標パラメータが目標加湿時間の長さであると、上記加湿目標パラメータに達するまでの加湿器に必要な水使用量を特定するステップは、
上記加湿器のモータの回転速度を取得するステップと、
上記モータの回転速度及び目標加湿時間の長さに基づいて、上記目標加湿時間の長さに達するまでの加湿器に必要な水使用量を特定するステップと
を含むことを特徴とする請求項２に記載の加湿器の水使用量取得方法。
【請求項６】
上記モータの回転速度及び目標加湿時間の長さに基づいて、上記目標加湿時間の長さに達するまでの加湿器に必要な水使用量を特定するステップは、
以下の式に従って、上記目標加湿時間の長さに達するまでの加湿器に必要な水使用量であるＶを特定するステップを含み、
Ｖ＝ｔ×ｖ×ｗ２、
その中、上記ｔは目標加湿時間の長さであり、上記ｖはモータの回転速度であり、上記ｗ２は第２係数である
ことを特徴とする請求項５に記載の加湿器の水使用量取得方法。
【請求項７】
上記プロンプト情報を出力するステップは、
上記水使用量を表示するステップ
を含むことを特徴とする請求項１乃至６の中のいずれか１項に記載の加湿器の水使用量取得方法。
【請求項８】
上記加湿器にバインディングされた端末が、上記加湿器が送信した上記リマインド情報を受信するステップと、
上記端末が上記リマインド情報をディスプレイするステップと
をさらに含むことを特徴とする請求項１に記載の加湿器の水使用量取得方法。
【請求項９】
上記端末が上記リマインド情報をディスプレイするステップは、
上記端末が、音声、グラフ、テキスト、或いは、振動の方法によって、上記リマインド情報をディスプレイするステップ
を含むことを特徴とする請求項８に記載の加湿器の水使用量取得方法。
【請求項１０】
加湿待ち空間に対する加湿目標パラメータを取得する取得モジュールと、
上記加湿目標パラメータに達するまでの加湿器に必要な水使用量を特定する特定モジュールと、
上記水使用量が付加されたプロンプト情報を出力する出力モジュールと
を備え、
上記出力モジュールは、
タンク内の水が上記水使用量に達した際に上記加湿器にリマインド情報を出力するようにするための上記プロンプト情報を、上記加湿器に送信する送信サブモジュール
を備えることを特徴とする加湿器の水使用量取得装置。
【請求項１１】
上記加湿目標パラメータは、目標湿度、或いは、目標加湿時間の長さを含む
ことを特徴とする請求項１０に記載の加湿器の水使用量取得装置。
【請求項１２】
上記加湿目標パラメータが目標湿度であると、上記特定モジュールは、
上記加湿待ち空間の床面積を取得する第１取得サブモジュールと、
上記加湿待ち空間の現在湿度を取得する第２取得サブモジュールと、
上記加湿待ち空間の床面積、現在湿度及び目標湿度に基づいて、上記目標湿度に達するまでの加湿器に必要な水使用量を特定する第１特定サブモジュールと
を備えることを特徴とする請求項１１に記載の加湿器の水使用量取得装置。
【請求項１３】
上記第１特定サブモジュールは、以下の式に従って、上記目標湿度に達するまでの加湿器に必要な水使用量であるＶを特定し、Ｖ＝（ｔ１−ｔ０）×ｓ×ｗ１、その中、上記ｔ１は目標湿度であり、上記ｔ０は現在湿度であり、上記ｓは上記加湿待ち空間の床面積であり、上記ｗ１は第１係数である
ことを特徴とする請求項１２に記載の加湿器の水使用量取得装置。
【請求項１４】
上記加湿目標パラメータが目標加湿時間の長さであると、上記特定モジュールは、
上記加湿器のモータの回転速度を取得する第３取得サブモジュールと、
上記モータの回転速度及び目標加湿時間の長さに基づいて、上記目標加湿時間の長さに達するまでの加湿器に必要な水使用量を特定する第２特定サブモジュールと
を備えることを特徴とする請求項１１に記載の加湿器の水使用量取得装置。
【請求項１５】
上記第２特定サブモジュールは、以下の式に従って、上記目標加湿時間の長さに達するまでの加湿器に必要な水使用量であるＶを特定し、Ｖ＝ｔ×ｖ×ｗ２、その中、上記ｔは目標加湿時間の長さであり、上記ｖはモータの回転速度であり、上記ｗ２は第２係数である
ことを特徴とする請求項１４に記載の加湿器の水使用量取得装置。
【請求項１６】
上記出力モジュールは、
上記水使用量を表示する表示サブモジュール
を備えることを特徴とする請求項１０乃至１５の中のいずれか１項に記載の加湿器の水使用量取得装置。
【請求項１７】
上記加湿器が送信した上記リマインド情報を受信する受信モジュールと、
上記リマインド情報をディスプレイするディスプレイモジュール
をさらに備えることを特徴とする請求項１０に記載の加湿器の水使用量取得装置。
【請求項１８】
上記ディスプレイモジュールは、
音声、グラフ、テキスト、或いは、振動の方法によって、上記リマインド情報をディスプレイするディスプレイサブモジュール
を備えることを特徴とする請求項１７に記載の加湿器の水使用量取得装置。
【請求項１９】
プロセッサと、
上記プロセッサが実行可能な命令を記憶するためのメモリと
を備え、
上記プロセッサは、
加湿待ち空間に対する加湿目標パラメータを取得し、
上記加湿目標パラメータに達するまでの加湿器に必要な水使用量を特定し、
上記水使用量が付加されたプロンプト情報を出力する
ように構成され、
上記プロンプト情報を出力することは、
タンク内の水が上記水使用量に達した際に上記加湿器にリマインド情報を出力するようにするための上記プロンプト情報を、上記加湿器に送信すること
を含むことを特徴とする加湿器の水使用量取得装置。
【請求項２０】
プロセッサに実行されることにより、請求項１から請求項９のいずれか１項に記載の加湿器の水使用量取得方法を実現することを特徴とするプログラム。
【請求項２１】
請求項２０に記載のプログラムが記録された記録媒体。
【発明の詳細な説明】
【技術分野】
【０００１】
本願は、出願番号がＣＮ２０１６１０８２７２７８.５であって、出願日が２０１６年９月１４日である中国特許出願に基づいて優先権を主張し、当該中国特許出願のすべての内容を援用する。
【０００２】
本発明は、スマート家電の技術分野に関し、特に、加湿器の水使用量取得方法、装置、プログラム及び記録媒体に関する。
【背景技術】
【０００３】
最近では、空気の品質が人々にだんだん重視されている。乾燥した空気は、人体内の熱を高くし、皮膚に静電気を発生させやすくし、呼吸器官にも悪い影響をもたらす。それで、加湿器が、人々の生活に、幅広く、利用されている。加湿器は、ユーザにより加湿器のタンク内に水を追加した後に空気加湿器を起動させると、タンク内の水を水の霧に霧化して、送風装置を利用して水の霧を空気中に拡散させることにより、空気湿度を増加して、よい空気環境を形成する。
【発明の概要】
【０００４】
本発明の実施例は、加湿器の水使用量取得方法、装置、プログラム及び記録媒体を提供する。上記構成は、以下のとおりである。
【０００５】
本発明の実施例に係る第１の態様によると、加湿器の水使用量取得方法を提供する。
【０００６】
上記方法は、
加湿待ち空間に対する加湿目標パラメータを取得するステップと、
上記加湿目標パラメータに達するまでの加湿器に必要な水使用量を特定するステップと、
上記水使用量が付加されたプロンプト情報を出力するステップとを含む。
【０００７】
本発明の実施例によって提供する構成は、以下のような有益な効果が得られる。本実施例においては、加湿器を使用して加湿を行う時に、水使用量が付加されたプロンプト情報を出力して、加湿器を使用して今回の加湿作業を完成して加湿目標に達するまでの加湿器のタンク内に必要な水使用量を、ユーザにプロンプトすることにより、ユーザの加湿器のタンク内への水の追加を便利にし、加湿器中の水量が適切でない場合に加湿器にもたらす損傷を避けることができる。
【０００８】
一実施例において、上記加湿目標パラメータは、目標湿度、或いは、目標加湿時間の長さを含む。
【０００９】
本発明の実施例によって提供する構成は、以下のような有益な効果が得られる。本実施例においては、複数の加湿目標パラメータによって水使用量を特定することにより、ユーザの複数の加湿目標の要求を満たすことができる。
【００１０】
一実施例において、上記加湿目標パラメータが目標湿度であると、上記加湿目標パラメータに達するまでの加湿器に必要な水使用量を特定するステップは、
上記加湿待ち空間の空間面積及び現在湿度を取得するステップと、
上記加湿待ち空間の空間面積、現在湿度及び目標湿度に基づいて、上記目標湿度に達するまでの加湿器に必要な水使用量を特定するステップとを含む。
【００１１】
本発明の実施例によって提供する構成は、以下のような有益な効果が得られる。本実施例においては、上記加湿待ち空間の空間面積、現在湿度及び目標湿度に基づいて、加湿器に必要な水使用量を精度よく特定することにより、加湿器中の水量が適切でない場合に加湿器にもたらす損害を避けることができる。
【００１２】
一実施例において、上記加湿待ち空間の空間面積、現在湿度及び目標湿度に基づいて、上記目標湿度に達するまでの加湿器に必要な水使用量を特定するステップは、
以下の式に従って、上記目標湿度に達するまでの加湿器に必要な水使用量であるＶを特定するステップを含み、
Ｖ＝（ｔ１−ｔ０)×ｓ×ｗ１、
その中、上記ｔ１は目標湿度であり、上記ｔ０は現在湿度であり、上記ｓは空間面積であり、上記ｗ１は第１係数である。
【００１３】
本発明の実施例によって提供する構成は、以下のような有益な効果が得られる。本実施例においては、Ｖ＝（ｔ１−ｔ０)×ｓ×ｗ１に従って、加湿器に必要な水使用量を特定することにより、特定方式が、簡単で、精度を高くすることができる。
【００１４】
一実施例において、上記加湿目標パラメータが目標加湿時間の長さであると、上記加湿目標パラメータに達するまでの加湿器に必要な水使用量を特定するステップは、
上記加湿器のモータの回転速度を取得するステップと、
上記モータの回転速度及び目標加湿時間の長さに基づいて、上記目標加湿時間の長さに達するまでの加湿器に必要な水使用量を特定するステップとを含む。
【００１５】
本発明の実施例によって提供する構成は、以下のような有益な効果が得られる。本実施例においては、上記モータの回転速度及び目標加湿時間の長さに基づいて、加湿器に必要な水使用量を精度よく特定することにより、加湿器中の水量が適切でない場合に加湿器にもたらす損害を避けることができる。
【００１６】
一実施例において、上記モータの回転速度及び目標加湿時間の長さに基づいて、上記目標加湿時間の長さに達するまでの加湿器に必要な水使用量を特定するステップは、
以下の式に従って、上記目標加湿時間の長さに達するまでの加湿器に必要な水使用量であるＶを特定するステップを含み、
Ｖ＝ｔ×ｖ× ｗ２、
その中、上記ｔは目標加湿時間の長さであり、上記ｖはモータの回転速度であり、上記ｗ２は第２係数である。
【００１７】
本発明の実施例によって提供する構成は、以下のような有益な効果が得られる。本実施例においては、Ｖ＝ｔ×ｖ× ｗ２に従って、加湿器に必要な水使用量を特定することにより、特定方式が、簡単で、精度を高くすることができる。
【００１８】
一実施例において、上記プロンプト情報を出力するステップは、
上記水使用量を表示するステップを含む。
【００１９】
本発明の実施例によって提供する構成は、以下のような有益な効果が得られる。本実施例においては、上記水使用量を表示して、今回の加湿作業を完成させるまでに加湿器のタンク内に必要な水使用量を、ユーザに直接知らせることにより、ユーザの加湿器のタンク内への水の追加を便利にすることができる。
【００２０】
一実施例において、上記プロンプト情報を出力するステップは、
タンク内の水が上記水使用量に達した際に上記加湿器にリマインド情報を出力するようにするための上記プロンプト情報を、上記加湿器に送信するステップを含む。
【００２１】
本発明の実施例によって提供する構成は、以下のような有益な効果が得られる。本実施例においては、水使用量を加湿器に送信して、加湿器により加湿器中の水量を検出して上記水使用量に達するように自動的に制御することにより、ユーザによって目盛り等の情報に注目する必要が無くなって、ユーザの加湿器のタンク内への水の追加をもっとも便利にした。
【００２２】
一実施例において、上記方法は、
上記加湿器にバインディングされた端末が、上記加湿器が送信した上記リマインド情報を受信するステップと、
上記端末が上記リマインド情報をディスプレイするステップとをさらに含む。
【００２３】
本発明の実施例によって提供する構成は、以下のような有益な効果が得られる。本実施例においては、加湿器にバインディングされた端末により、加湿器に必要な水使用量を特定して、水使用量を加湿器に送信し、加湿器により、加湿器中の水量を自動的に検出して上記水使用量に達した後に、リマインド情報を端末に戻し、端末により、自身のハードウェア装置を利用して上記リマインド情報をディスプレイすることにより、端末内にハードウェア装置を別途に追加させる必要が無くなって、生産コストを削減できる。
【００２４】
一実施例において、上記端末が上記リマインド情報をディスプレイするステップは、
上記端末音声、グラフ、テキスト、或いは、振動の方法によって、上記リマインド情報をディスプレイするステップを含む。
【００２５】
本発明の実施例によって提供する構成は、以下のような有益な効果が得られる。本実施例においては、端末内に有するハードウェア装置を利用して、複数の方法によって上記リマインド情報をディスプレイすることにより、ディスプレイ方法を豊富化して、ユーザに適当な方法を選択するようにすることができる。
【００２６】
本発明の実施例に係る第２の態様によると、加湿器の水使用量取得装置を提供する。
【００２７】
上記装置は、
加湿待ち空間に対する加湿目標パラメータを取得する取得モジュールと、
上記加湿目標パラメータに達するまでの加湿器に必要な水使用量を特定する特定モジュールと、
上記水使用量が付加されたプロンプト情報を出力する出力モジュールとを備える。
【００２８】
一実施例において、上記加湿目標パラメータは、目標湿度、或いは、目標加湿時間の長さを含む。
【００２９】
一実施例において、上記加湿目標パラメータが目標湿度であると、上記特定モジュールは、
上記加湿待ち空間の空間面積を取得する第１取得サブモジュールと、
上記加湿待ち空間の現在湿度を取得する第２取得サブモジュールと、
上記加湿待ち空間の空間面積、現在湿度及び目標湿度に基づいて、上記目標湿度に達するまでの加湿器に必要な水使用量を特定する第１特定サブモジュールとを備える。
【００３０】
一実施例において、上記第１特定サブモジュールは、以下の式に従って、上記目標湿度に達するまでの加湿器に必要な水使用量であるＶを特定し、Ｖ＝（ｔ１−ｔ０)×ｓ×ｗ１、その中、上記ｔ１は目標湿度であり、上記ｔ０は現在湿度であり、上記ｓは空間面積であり、上記ｗ１は第１係数である。
【００３１】
一実施例において、上記加湿目標パラメータが目標加湿時間の長さであると、上記特定モジュールは、
上記加湿器のモータの回転速度を取得する第３取得サブモジュールと、
上記モータの回転速度及び目標加湿時間の長さに基づいて、上記目標加湿時間の長さに達するまでの加湿器に必要な水使用量を特定する第２特定サブモジュールとを備える
一実施例において、上記第２特定サブモジュールは、以下の式に従って、上記目標加湿時間の長さに達するまでの加湿器に必要な水使用量であるＶを特定し、Ｖ＝ｔ×ｖ×ｗ２、その中、上記ｔは目標加湿時間の長さであり、上記ｗ２は第２係数である。
【００３２】
一実施例において、上記出力モジュールは、
上記水使用量を表示する表示サブモジュールを備える。
【００３３】
一実施例において、上記出力モジュールは、
タンク内の水が上記水使用量に達した際に上記加湿器にリマインド情報を出力するようにするための上記プロンプト情報を、上記加湿器に送信する送信サブモジュールを備える。
【００３４】
一実施例において、上記装置は、
上記加湿器が送信した上記リマインド情報を受信する受信モジュールと、
上記リマインド情報をディスプレイするディスプレイモジュールをさらに備える。
【００３５】
一実施例において、上記ディスプレイモジュールは、
音声、グラフ、テキスト、或いは、振動の方法によって、上記リマインド情報をディスプレイするディスプレイサブモジュールを備える。
【００３６】
本発明の実施例に係る第３の態様によると、加湿器の水使用量取得装置を提供する。
【００３７】
上記装置は、
プロセッサと、
上記プロセッサが実行可能な命令を記憶するためのメモリと
を備え、
上記プロセッサは、
加湿待ち空間に対する加湿目標パラメータを取得し、
上記加湿目標パラメータに達するまでの加湿器に必要な水使用量を特定し、
上記水使用量が付加されたプロンプト情報を出力する
ように構成される。
本発明の実施例の第４の態様によると、プログラムを提供し、当該プログラムは、プロセッサに実行されることにより、上記の方法を実現する。
本発明の実施例の第５の態様によると、記録媒体を提供し、当該記録媒体には、上記プログラムが記録されている。
【００３８】
以上の統括な記述と以下の細部記述は、ただ例示的なものであり、本発明を制限するものではないと、理解するべきである。
【図面の簡単な説明】
【００３９】
ここでの図面は、明細書に合併されて本明細書の一部を構成して本発明に合致する実施例を示し、明細書とともに本発明の原理の説明に用いられる。
【００４０】
【図１】例示的な一実施例に係る加湿器の水使用量取得方法を示すフローチャートである。
【図２】例示的な一実施例に係る端末中の加湿器制御ＡＰＰによって提供するユーザインターフェイスを示す模式図である。
【図３】例示的な実施例１に係る加湿器の水使用量取得方法を示すフローチャートである。
【図４】例示的な実施例２に係る加湿器の水使用量取得方法を示すフローチャートである。
【図５】例示的な一実施例に係る加湿器の水使用量取得方法を示すブロック図である。
【図６】例示的な一実施例に係る加湿器の水使用量取得装置を示すブロック図である。
【図７】例示的な一実施例に係る加湿器の水使用量取得装置の特定モジュール６０２を示すブロック図である。
【図８】例示的な一実施例に係る加湿器の水使用量取得装置の特定モジュール６０２を示すブロック図である。
【図９】例示的な一実施例に係る加湿器の水使用量取得装置を示すブロック図である。
【図１０】例示的な一実施例に係る加湿器の水使用量取得装置を示すブロック図である。
【図１１】例示的な一実施例に係る加湿器の水使用量取得装置を示すブロック図である。
【図１２】例示的な一実施例に係る加湿器の水使用量取得装置を示すブロック図である。
【図１３】例示的な一実施例に係る加湿器の水使用量取得装置を示すブロック図である。
【図１４】例示的な一実施例に係る加湿器の水使用量取得装置を示すブロック図である。
【発明を実施するための形態】
【００４１】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表するわけではない。逆に、それらは、添付の特許請求の範囲において詳細に記述された、本発明のいくつかの態様と合致する装置、及び方法の例に過ぎない。
【００４２】
ユーザは、一般的に、加湿器を使用する度に、タンクに水をどの程度を追加すればよいかをよく分からない。もし、水を少なく追加すると、タンク内の水がすぐ無くなり、加湿器は水が無くなった後にそのまま送風することになり、もし、水を多く追加すると、今回に使用した後に、タンク内に水が残って、水あかが形成されやすい。
【００４３】
本発明の実施例によると、加湿器を使用するたびに、まず、加湿待ち空間に対する加湿目標パラメータを取得した後に、続いて、上記加湿目標パラメータに達するまでの加湿器に必要な水使用量を特定し、最後に、上記水使用量が付加されたプロンプト情報を出力して、加湿器を使用して今回の加湿作業を完成して加湿目標に達するまでの加湿器のタンク内に必要な水使用量を、ユーザにプロンプトすることにより、ユーザの加湿器のタンク内への水の追加を便利にし、加湿器中の水量が適切でない場合に加湿器にもたらす損傷を避けた。
【００４４】
図１は、例示的な一実施例に係る加湿器の水使用量取得方法を示すフローチャートである。図１に示したように、加湿器の水使用量取得方法を端末に適用する例を挙げて、説明する。上記方法は、端末を利用して実施することに限定しない。上記方法は、以下のステップＳ１０１−Ｓ１０３を含む。
【００４５】
ステップＳ１０１において、加湿待ち空間に対する加湿目標パラメータを取得する。
【００４６】
ステップＳ１０２において、上記加湿目標パラメータに達するまでの加湿器に必要な水使用量を特定する。
【００４７】
ステップＳ１０３において、上記水使用量が付加されたプロンプト情報を出力する。
【００４８】
ここで、端末内には、加湿器制御ＡＰＰ（Ａｐｐｌｉｃａｔｉｏｎ）が設置されており、上記ＡＰＰによって提供されるユーザインターフェイスを介して、ユーザが入力する加湿目標パラメータを取得してもよい。ユーザは、加湿器を使用して、例えば、応接間、ベッドルーム、オフィス、等のような部屋である加湿待ち空間に対して加湿しようとすると、端末中の加湿器制御ＡＰＰを起動して、上記ＡＰＰによって提供されるユーザインターフェイスに必要な加湿目標パラメータを入力する。そうすると、端末は、上記加湿待ち空間に対する加湿目標パラメータを取得することになる。
【００４９】
当然ながら、端末は、ユーザの身体データ及び加湿待ち空間の環境データ等に基づいて、適当な加湿目標パラメータを、自動的に、特定してもよい。
【００５０】
端末は、加湿目標パラメータを取得した後に、上記加湿目標パラメータに達するまでの加湿器に必要な水使用量を算出してから、上記水使用量が付加されたプロンプト情報を出力して、ユーザに、上記加湿目標パラメータに達するのにかかる加湿器に必要な水使用量を、プロンプトできる。
【００５１】
本実施例においては、加湿器を使用して加湿を行う時に、水使用量が付加されたプロンプト情報を出力して、加湿器を使用して今回の加湿作業を完成して加湿目標に達するまでの加湿器のタンク内に必要な水使用量を、ユーザにプロンプトすることにより、ユーザの加湿器のタンク内への水の追加を便利にし、加湿器中の水量が適切でない場合に加湿器にもたらす損傷を避けた。
【００５２】
一実施例において、上記加湿目標パラメータは、目標湿度、或いは、目標加湿時間の長さを含む。
【００５３】
一例として、端末内に設置した加湿器制御ＡＰＰのユーザインターフェイスは、図２に示したようである。ユーザは、目標湿度の入力ボックス２１中に、例えば５０％ＲＨ（Ｒｅｌａｔｉｖｅ Ｈｕｍｉｄｉｔｙ）のような湿度値を入力した目標湿度とするか、或いは、目標加湿時間の長さの入力ボックス２２中に、例えば２時間のような時間値を入力して目標加湿時間の長さとするか、或いは、目標加湿時間の長さの入力ボックス２２中に、例えば午後４時のような時間値を入力して、端末に現在の時間から午後４時までの時間帯を目標加湿時間の長さとして算出するようにすることができる。
【００５４】
ここで、加湿目標パラメータは、ユーザの必要によって、目標湿度、或いは、目標加湿時間の長さに設定される。ユーザは、自分が上記加湿待ち空間にいる期間内に加湿器を利用して加湿しようとすると、加湿目標パラメータを目標加湿時間の長さとして設定し、部屋内の湿度を一定の範囲に維持しようとすると、加湿目標パラメータを目標湿度として設定できる。
【００５５】
端末は、目標湿度を取得した後に、加湿器が上記加湿待ち空間を目標湿度まで加湿するのにかかる水使用量を算出できる。或いは、端末は、目標加湿時間の長さを取得した後に、加湿器を利用して上記目標加湿時間の長さを加湿するのにかかる水使用量を算出できる。
【００５６】
ここで、図２に示したように、ユーザによって、目標加湿時間の長さである２時間のような加湿目標パラメータを入力した後に、「水使用量」ボタン２３をクリックすると、端末は、上記加湿待ち空間を２時間加湿するのにかかる水使用量を算出し始める。
【００５７】
ここで、端末によってユーザの身体データ及び加湿待ち空間のような環境データ等に基づいて、適当な加湿目標パラメータが自動的に特定されることも可能であることを、説明する必要がある。一例として、加湿目標パラメータは目標湿度であり、もし、ユーザの体が健康であり、且つ、加湿待ち空間の温度が２５度であると、端末は、目標湿度を５０％ＲＨに特定してもよい。
【００５８】
本実施例においては、複数の加湿目標パラメータによって水使用量を特定することにより、ユーザの複数の加湿目標の要求を満たすことができる。
【００５９】
一実施例において、上記加湿目標パラメータが目標湿度であると、上記ステップＳ１０２は、ステップＡ１−Ａ２を含む。
【００６０】
ステップＡ１において、上記加湿待ち空間の空間面積及び現在湿度を取得する。
【００６１】
ステップＡ２において、上記加湿待ち空間の空間面積、現在湿度及び目標湿度に基づいて、上記目標湿度に達するまでの加湿器に必要な水使用量を特定する。
【００６２】
ここで、端末は、ユーザの入力に基づいて加湿待ち空間の空間面積を取得できる。一例として、端末中には、例えば、応接間、ベッドルーム及び書斎のような、ユーザが入力した加湿しようとする部屋の部屋面積が、予め保存されている。ユーザが加湿器をベッドルームに放置して加湿している時に、図２に示したように、加湿器制御ＡＰＰのユーザインターフェイス上に部屋オプション２４が設置されており、書斎を加湿しようとすると、部屋オプション中の「書斎」を選択すると、端末は、書斎の部屋面積を取得し、上記部屋面積が加湿待ち空間の空間面積ｓになる。或いは、加湿器制御ＡＰＰのユーザインターフェイス上に部屋面積入力ボックスが設置されており、ユーザは、ベッドルームを加湿しようとすると、部屋面積入力ボックス中にベッドルームの部屋面積を入力し、端末は、上記部屋面積を加湿待ち空間の空間面積にすることができる。
【００６３】
或いは、端末は、加湿待ち空間の空間面積を、自ら、測定して取得できる。一例として、端末は、カメラを利用して複数の角度から加湿待ち空間の画像を撮影して、加湿待ち空間の画像に対して画像分析を行うことにより、加湿待ち空間の長さ及び幅を取得して、加湿待ち空間の空間面積を算出してもよい。或いは、端末は、赤外線距離測定、或いは、レーザー距離測定によって、端末から加湿待ち空間の前後及び左右の距離を測定して、加湿待ち空間の長さ及び幅を算出して、加湿待ち空間の空間面積を取得してもよい。
【００６４】
ここで、端末は、湿度センサを利用して、加湿待ち空間の現在湿度を取得する。
【００６５】
ここで、現在湿度及び目標湿度がそれぞれ一定の場合に、加湿待ち空間の空間面積が大きいほど、加湿器に必要な水使用量が多くなる。加湿待ち空間の空間面積が同一であると、増加する湿度が大きいほど、加湿器に必要な水使用量も多くなる。即ち、空間面積、現在湿度、目標湿度及び加湿器に必要な水使用量の間には、一定の関数関係がある。それで、端末は、大量の試験データを統計して、空間面積、現在湿度、目標湿度及び加湿器に必要な水使用量の間の関数関係を、得られる。このようにして、端末は、上記の関数関係に従って、上記加湿待ち空間の空間面積、現在湿度及び目標湿度に基づいて、上記目標湿度に達するまでの加湿器に必要な水使用量を特定する。
【００６６】
本実施例においては、上記加湿待ち空間の空間面積、現在湿度及び目標湿度に基づいて、加湿器に必要な水使用量を精度よく特定することにより、加湿器中の水量が適切でない場合に加湿器にもたらす損害を避けることができる。
【００６７】
一実施例において、上記ステップＡ２は、以下の式に従って、上記目標湿度に達するまでの加湿器に必要な水使用量であるＶを特定するステップを含み、Ｖ＝（ｔ１−ｔ０)×ｓ×ｗ１、その中、上記ｔ１は目標湿度であり、上記ｔ０は現在湿度であり、上記ｓは空間面積であり、上記ｗ１は第１係数である。
【００６８】
ここで、第１係数ｗ１は、単位面積に対して、単位湿度を増加する度に必要な水使用量である。第１係数ｗ１は、大量の試験データを統計して取得され、端末中に予め保存されてもよい。
【００６９】
このようにして、端末は、加湿待ち空間の空間面積ｓ、加湿待ち空間の現在湿度ｔ０、目標湿度ｔ１に基づいて、Ｖ＝（ｔ１−ｔ０)×ｓ×ｗ１に従って、上記目標湿度に達するのにかかる水使用量であるＶを特定する。
【００７０】
その他の実施例において、端末は、大量の試験データに基づいて、空間面積が第１面積範囲内であり、湿度増幅が第１湿度範囲内である場合に対する、単位面積内で単位湿度を増加する度にかかる水使用量を統計して取得し、空間面積が第２面積範囲内であり、湿度増幅が第１湿度範囲内である場合に対する、単位面積内で単位湿度を増加する度にかかる水使用量を統計して取得し、空間面積が第１面積範囲内であり、湿度増幅が第２湿度範囲内である場合に対する、単位面積内で単位湿度を増加する度にかかる水使用量を統計して取得してもよい。このようにして、端末は、加湿待ち空間の空間面積に基づいて、空間面積が属する面積範囲を特定し、加湿待ち空間の現在湿度及び目標湿度に基づいて、湿度増幅が属する湿度範囲を特定してから、このような面積範囲及び湿度範囲に対する、単位面積内で単位湿度を増加する度にかかる水使用量を取得して、さらに、上記単位面積内で単位湿度を増加する度にかかる水使用量に、取得した空間面積及び湿度差（目標湿度−現在湿度）を掛け算して、加湿器に必要な水使用量を得ることができる。
【００７１】
ここで、端末が取得した空間面積、現在湿度、目標湿度及び加湿器に必要な水使用量の間の関数関係は、他の方法によって設計してもよいし、本実施例のリニア関係であるＶ＝（ｔ１−ｔ０)×ｓ×ｗ１に限定されない。
【００７２】
本実施例においては、Ｖ＝（ｔ１−ｔ０)×ｓ×ｗ１に従って、加湿器に必要な水使用量を特定でき、特定方法が、簡単で、精度を高くすることができる。
【００７３】
一実施例において、上記加湿目標パラメータが目標加湿時間の長さであると、上記ステップＳ１０２は、ステップＢ１−Ｂ２を含む。
【００７４】
ステップＢ１において、加湿器のモータの回転速度を取得する。
【００７５】
ステップＢ２において、上記モータの回転速度及び目標加湿時間の長さに基づいて、上記目標加湿時間の長さに達するまでの加湿器に必要な水使用量を特定する。
【００７６】
ここで、加湿器のモータは、加湿器中の霧化した水蒸気を加湿器から送風するためのモータである。端末は、ユーザの入力に基づいて、加湿器のモータの回転速度を取得してもよい。一例として、加湿器のモータの回転速度は、固定された一つのレベルであってもよいし、調節できる複数のレベルであってもよい。端末中には、ユーザの入力によって、加湿器の各レベルに対応されるモータの回転速度が予め保存されている。端末は、加湿器のモータの回転速度が固定されたレベルであると、目標加湿時間の長さを設定する時に、加湿器のモータの回転速度を直接に取得できる。加湿器のモータの回転速度が調節できる複数のレベルであると、ユーザが加湿器をベッドルームに放置して加湿する場合に、加湿器制御ＡＰＰのユーザインターフェイス上にはモータの回転速度のレベルオプションが設置されており、ユーザによって加湿する時に利用するモータの回転速度のレベルを選択すると、端末は上記レベルに対応されるモータの回転速度を特定することになる。
【００７７】
ここで、モータの回転速度が大きいほど、加湿器中で単位時間内に加湿待ち空間に送風する水の霧も多くなる。それで、加湿時間の長さが同一であると、モータの回転速度が大きいほど、加湿器に必要な水使用量も多くなり、モータの回転速度が同一であると、加湿時間の長さが長いほど、加湿器に必要な水使用量も多くなる。即ち、モータの回転速度、目標加湿時間の長さ及び加湿器に必要な水使用量の間には一定の関数関係があるため、端末は、大量の試験データを統計して、モータの回転速度、目標加湿時間の長さ及び加湿器に必要な水使用量の間の関数関係を取得できる。このようにして、端末は、上記の関数関係に従って、上記モータの回転速度及び目標加湿時間の長さに基づいて、上記目標加湿時間の長さに達するまでの加湿器に必要な水使用量を特定できる。
【００７８】
本実施例においては、モータの回転速度及び目標加湿時間の長さに基づいて、加湿器に必要な水使用量を精度よく特定することにより、加湿器中の水量が適切でない場合に加湿器にもたらす損害を避けることができる。
【００７９】
一実施例において、上記ステップＢ２は、以下の式に従って、上記目標加湿時間の長さに達するまでの加湿器に必要な水使用量であるＶを特定し、Ｖ＝ｔ×ｖ×ｗ２、その中、上記ｔは目標加湿時間の長さであり、上記ｖはモータの回転速度であり、上記ｗ２は第２係数である。
【００８０】
ここで、第２係数ｗ２は、単位回転速度で湿単位時間の長さを増加する度に必要な水使用量である。第２係数ｗ２は、大量の試験データを統計して取得され、端末中に予め保存できる。
【００８１】
このようにして、端末は、加湿器のモータの回転速度ｖ、目標加湿時間の長さｔ、第２係数ｗ２に基づいて、Ｖ＝ｔ×ｖ×ｗ２に従って、上記目標加湿時間の長さに達するのにかかる水使用量であるＶを特定できる。
【００８２】
その他の実施例において、端末は、大量の試験データに基づいて、モータの回転速度が第１回転速度範囲内であり、目標加湿時間の長さが第１時間の長さの範囲内である場合に対する、単位回転速度で単位時間の長さを増加するのにかかる水使用量を統計して取得し、モータの回転速度が第１回転速度範囲内であり、目標加湿時間の長さが第２時間の長さの範囲内である場合に対する、単位回転速度で単位時間の長さを増加するのにかかる水使用量を統計して取得してもよい。このようにして、端末は、加湿器のモータの回転速度に基づいて、属する回転速度範囲を特定し、目標加湿時間の長さに基づいて、属する時間の長さの範囲を特定してから、このような回転速度範囲及び時間の長さの範囲に対する単位回転速度で単位時間の長さを増加する度に必要な水使用量を取得して、上記単位回転速度で単位時間の長さを増加するのにかかる水使用量に、取得したモータの回転速度ｖ及び目標加湿時間の長さｔを掛け算して、加湿器に必要な水使用量を得ることができる。
【００８３】
ここで、端末が取得するモータの回転速度、目標加湿時間の長さ及び加湿器に必要な水使用量の間の関数関係、他の方法によって設計してもよいし、本実施例にかかるリニア関係に限定されない。
【００８４】
本実施例においては、Ｖ＝ｔ×ｖ×ｗ２に従って、加湿器に必要な水使用量を特定でき、特定方式が、簡単で、精度を高くすることができる。
【００８５】
一実施例において、上記ステップＳ１０３は、ステップＣ１を含む。
【００８６】
ステップＣ１において、上記水使用量を表示する。
【００８７】
ここで、一般的に、加湿器のタンク上には、水量の目盛り線が設置されているため、端末は、加湿目標パラメータに達するまでの加湿器に必要な水使用量を特定する時に、水使用量を出力して表示できる。ユーザは、上記水使用量を見た後に、加湿器タンク上の水量目盛り線によって、加湿器のタンク内に水を上記水使用量まで追加できる。
【００８８】
本実施例においては、上記水使用量を表示して、今回の加湿作業を完成させるまでに加湿器のタンク内に必要な水使用量を、ユーザに直接知らせることにより、ユーザの加湿器のタンク内への水の追加を便利にすることができる。
【００８９】
一実施例において、上記ステップＳ１０３は、ステップＤ１を含む。
【００９０】
ステップＤ１において、タンク内の水が上記水使用量に達した際に上記加湿器にリマインド情報を出力するようにするための上記プロンプト情報を、上記加湿器に送信する。
【００９１】
ここで、端末は、加湿目標パラメータに達するまでの加湿器に必要な水使用量を特定する時に、上記水使用量をプロンプト情報中に付加して、直接に、加湿器に送信してもよい。加湿器には、一つの圧力センサが設置されており、ユーザにより加湿器に水を追加する過程において、加湿器の圧力センサにより加湿器中の水量が上記水使用量に達したことをモニタリングした後に、リマインド情報を出力してもよい。
【００９２】
ここで、上記リマインド情報は、振動情報、音声情報、等であってもよい。一例として、加湿器には、ブザーが設置されており、加湿器中の圧力センサが加湿器中の水量が上記水使用量に達したことをモニタリングした後、ブザーに電気信号を送信して、ブザーにビープ音を発するようにしてもよい。ユーザは、ビープ音を聞いた後に、水の追加を停止してもよい。
【００９３】
本実施例においては、水使用量を加湿器に送信して、加湿器により加湿器中の水量を検出して上記水使用量に達するように自動的に制御することにより、ユーザによって目盛り等の情報に注目する必要が無くなって、ユーザの加湿器のタンク内への水の追加をもっとも便利にした。
【００９４】
以上の各実施例では、加湿器の水使用量取得方法を端末に適用する例を挙げて説明したが、上記方法を端末を利用して実施することに限定しない。さらに、加湿器に水使用量取得装置を別途に設置して、上記の方法を実施してもよい。
【００９５】
もし、上記の加湿器の水使用量取得方法を端末に適用すると、加湿器を使用してリマインド情報を出力するためには、加湿器にハードウェア部品を別途に追加する必要があるため、生産コストが高くなる。そのため、一実施例において、上記方法は、ステップＥ１−Ｅ２を、さらに、含む。
【００９６】
ステップＥ１において、上記加湿器にバインディングされた端末が、上記加湿器が送信した上記リマインド情報を受信する。
【００９７】
ステップＥ２において、上記端末が上記リマインド情報をディスプレイする。
【００９８】
ここで、端末と加湿器とを、ブルートゥース（登録商標）、或いは、ＷｉＦｉを介して、バインディングできる。加湿器は、タンク内の水が上記水使用量に達した際に、リマインド情報を端末に直接に送信してもよい。その後、端末により、ユーザに上記リマインド情報をディスプレイしてもよい。ユーザは、上記のリマインド情報を受信した後に、加湿器への水の追加を停止する。
【００９９】
ここで、端末は、携帯電話、タブレットＰＣ等のモバイル携帯デバイスであってもよい。端末は、上記リマインド情報を受信した後に、端末内に配置されているハードウェア装置を利用して上記リマインド情報をディスプレイすればよく、端末内にハードウェア装置を別途に追加する必要が無くなり、生産コストを削減できる。
【０１００】
本実施例においては、加湿器にバインディングされた端末により、加湿器に必要な水使用量を特定して、水使用量を加湿器に送信し、加湿器により、加湿器中の水量を自動的に検出して上記水使用量に達した後に、リマインド情報を端末に戻し、端末により、自身のハードウェア装置を利用して上記リマインド情報をディスプレイすることにより、端末内にハードウェア装置を別途に追加させる必要が無くなって、生産コストを削減できる。
【０１０１】
一実施例において、上記端末が上記リマインド情報をディスプレイするステップは、上記端末が、音声、グラフ、テキスト、或いは、振動の方法によって、上記リマインド情報をディスプレイするステップを含む。
【０１０２】
ここで、端末は、端末内に配置されたスピーカーを利用して、音声の方法によって上記リマインド情報を再生してもよいし、端末内に配置されたモニタを利用して、グラフの方法、テキストの方法によって、上記リマインド情報を表示してもよいし、端末内に配置されたバイブレータを利用して、振動の方法によって上記リマインド情報をディスプレイしてもよい。
【０１０３】
本実施例においては、端末内に有するハードウェア装置を利用して、複数の方法によって上記リマインド情報をディスプレイすることにより、ディスプレイ方法を豊富化して、ユーザが好きな方法を選択して使用するようにした。
【０１０４】
以下、複数の実施例によって、実現する過程を詳細に説明する。
【０１０５】
図３は、例示的な一実施例に係る加湿器の水使用量取得方法を示すフローチャートである。図３に示したように、上記方法は、加湿器、端末、のようなデバイスによって実現される。上記方法は、ステップＳ３０１−Ｓ３０５を含む。
【０１０６】
ステップＳ３０１において、加湿待ち空間に対する加湿目標パラメータを取得し、上記加湿目標パラメータは目標湿度である。
【０１０７】
ステップＳ３０２において、上記加湿待ち空間の空間面積ｓを取得する。
【０１０８】
ステップＳ３０３において、上記加湿待ち空間の現在湿度ｔ０を取得する。
【０１０９】
ステップＳ３０４において、以下の式に従って、上記目標湿度に達するまでの加湿器に必要な水使用量であるＶを特定し、
Ｖ＝（ｔ１−ｔ０)×ｓ×ｗ１、
その中、上記ｔ１は目標湿度であり、上記ｗ１は第１係数である。
【０１１０】
ステップＳ３０５において、上記水使用量を表示する。
【０１１１】
図４は、例示的な一実施例に係る加湿器の水使用量取得方法を示すフローチャートである。図４に示したように、上記方法は、端末等のデバイスによって実現され、ステップＳ４０１−Ｓ４０４を含む。
【０１１２】
ステップＳ４０１において、加湿待ち空間に対する加湿目標パラメータを取得し、上記加湿目標パラメータは目標加湿時間の長さである。
【０１１３】
ステップＳ４０２において、上記加湿器のモータの回転速度ｖを取得する。
【０１１４】
ステップＳ４０３において、以下の式に従って、上記目標加湿時間の長さに達するまでの加湿器に必要な水使用量であるＶを特定し、
Ｖ＝ｔ×ｖ× ｗ２、
その中、上記ｔは目標加湿時間の長さであり、上記ｗ２は第２係数である。
【０１１５】
ステップＳ４０４において、タンク内の水が上記水使用量に達した際に上記加湿器にリマインド情報を出力するようにするための上記プロンプト情報を、上記加湿器に送信する。
【０１１６】
図５は、例示的な一実施例に係る加湿器の水使用量取得方法を示すフローチャートである。図５に示したように、上記方法は、端末等のデバイスによって実現され、ステップＳ５０１−Ｓ５０５を含む。
【０１１７】
ステップＳ５０１において、加湿待ち空間に対する加湿目標パラメータを取得し、上記加湿目標パラメータは、目標湿度、或いは、目標加湿時間の長さを含む。
【０１１８】
ステップＳ５０２において、上記加湿目標パラメータに達するまでの加湿器に必要な水使用量を特定する。
【０１１９】
ステップＳ５０３において、タンク内の水が上記水使用量に達した際に上記加湿器にリマインド情報を出力するようにするための上記プロンプト情報を、上記加湿器に送信する。
【０１２０】
ステップＳ５０４において、上記加湿器が送信した上記リマインド情報を受信する。
【０１２１】
ステップＳ５０５において、音声、グラフ、テキスト、或いは、振動の方法によって、上記リマインド情報をディスプレイする。
【０１２２】
以下は、本発明の装置の実施例であり、本発明の方法の実施例を実行することができる。
【０１２３】
図６は、例示的な一実施例に係る加湿器の水使用量取得装置を示すブロック図である。上記装置は、ソフトウェア、ハードウェア、或いは、両者の組合せによって、電子デバイスの一部、又は、全部を実現することができる。図６に示したように、上記加湿器の水使用量取得装置は、取得モジュール６０１、特定モジュール６０２及び出力モジュール６０３を備える。
【０１２４】
取得モジュール６０１は、加湿待ち空間に対する加湿目標パラメータを取得する。
【０１２５】
特定モジュール６０２は、上記加湿目標パラメータに達するまでの加湿器に必要な水使用量を特定する。
【０１２６】
出力モジュール６０３は、上記水使用量が付加されたプロンプト情報を出力する。
【０１２７】
一実施例において、上記加湿目標パラメータは、目標湿度、或いは、目標加湿時間の長さを含む。
【０１２８】
一実施例において、図７に示したように、上記加湿目標パラメータが目標湿度であると、上記特定モジュール６０２は、第１取得サブモジュール６０２１、第２取得サブモジュール６０２２及び第１特定サブモジュール６０２３を備える。
【０１２９】
第１取得サブモジュール６０２１は、上記加湿待ち空間の空間面積を取得する。
【０１３０】
第２取得サブモジュール６０２２は、上記加湿待ち空間の現在湿度を取得する。
【０１３１】
第１特定サブモジュール６０２３は、上記加湿待ち空間の空間面積、現在湿度及び目標湿度に基づいて、上記目標湿度に達するまでの加湿器に必要な水使用量を特定する。
【０１３２】
一実施例において、上記第１特定サブモジュール６０２３は、以下の式に従って、上記目標湿度に達するまでの加湿器に必要な水使用量であるＶを特定し、Ｖ＝（ｔ１−ｔ０)×ｓ×ｗ１、その中、上記ｔ１は目標湿度であり、上記ｔ０は現在湿度であり、上記ｓは空間面積であり、上記ｗ１は第１係数である。
【０１３３】
一実施例において、図８に示したように、上記加湿目標パラメータが目標加湿時間の長さであると、上記特定モジュール６０２は、第３取得サブモジュール６０２４及び第２特定サブモジュール６０２５を備える。
【０１３４】
第３取得サブモジュール６０２４は、上記加湿器のモータの回転速度を取得する。
【０１３５】
第２特定サブモジュール６０２５は、上記モータの回転速度及び目標加湿時間の長さに基づいて、上記目標加湿時間の長さに達するまでの加湿器に必要な水使用量を特定する。
【０１３６】
一実施例において、上記第２特定サブモジュール６０２５は、以下の式に従って、上記目標加湿時間の長さに達するまでの加湿器に必要な水使用量であるＶを特定し、Ｖ＝ｔ×ｖ×ｗ２、その中、上記ｔは目標加湿時間の長さであり、上記ｖはモータの回転速度であり、上記ｗ２は第２係数である。
【０１３７】
一実施例において、図９に示したように、上記出力モジュール６０３は、表示サブモジュール６０３１を備える。
【０１３８】
表示サブモジュール６０３１は、上記水使用量を表示する。
【０１３９】
一実施例において、図１０に示したように、上記出力モジュール６０３は、送信サブモジュール６０３２を備える。
【０１４０】
送信サブモジュール６０３２は、タンク内の水が上記水使用量に達した際に上記加湿器にリマインド情報を出力するようにするための上記プロンプト情報を、上記加湿器に送信する。
【０１４１】
一実施例において、図１１に示したように、上記装置は、受信モジュール６０４及びディスプレイモジュール６０５を、さらに、備える。
【０１４２】
受信モジュール６０４は、上記加湿器が送信した上記リマインド情報を受信する。
【０１４３】
ディスプレイモジュール６０５は、上記リマインド情報をディスプレイする。
【０１４４】
一実施例において、図１２に示したように、上記ディスプレイモジュール６０５は、ディスプレイサブモジュール６０５１を備える。
【０１４５】
ディスプレイサブモジュール６０５１は、音声、グラフ、テキスト、或いは、振動の方法によって、上記リマインド情報をディスプレイする。
【０１４６】
上記の実施例の装置について、その各モジュールが実行する操作の具体的な形態は既に当該方法に関する実施例において詳細に説明したため、ここでは詳細に説明しない。
【０１４７】
図１３は、例示的な一実施例に係る加湿器用の水使用量取得装置を示すブロック図であり、上記装置は、端末デバイスに適用される。例えば、装置１３００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【０１４８】
装置１３００は、プロセスアセンブリ１３０１、メモリ１３０２、電源アセンブリ１３０３、マルチメディアアセンブリ１３０４、オーディオアセンブリ１３０５、入出力（Ｉ／Ｏ）インターフェイス１３０６、センサアセンブリ１３０７、及び通信アセンブリ１３０８のような一つ以上のアセンブリを含んでいてもよい。
【０１４９】
プロセスアセンブリ１３０１は、一般的には装置１３００の全体の動作を制御するものであり、例えば、表示、電話呼び出し、データ通信、カメラ動作、及び記録動作と関連する動作を制御する。プロセスアセンブリ１３０１は、一つ以上のプロセッサ１３２０を含み、これらによって命令を実行することにより、上記の方法の全部、或は一部のステップを実現するようにしてもよい。なお、プロセスアセンブリ１３０１は、一つ以上のモジュールを含み、これらによってプロセスアセンブリ１３０１と他のアセンブリの間のインタラクションを容易にするようにしてもよい。例えば、プロセスアセンブリ１３０１は、マルチメディアモジュールを含み、これらによってマルチメディアアセンブリ１３０４とプロセスアセンブリ１３０１の間のインタラクションを容易にするようにしてもよい。
【０１５０】
メモリ１３０２は、各種類のデータを記憶することにより装置１３００の動作を支援するように構成される。これらのデータの例は、装置１３００において動作するいずれのアプリケーションプログラム又は方法の命令、連絡対象データ、電話帳データ、メッセージ、画像、ビデオ等を含む。メモリ１３０２は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０１５１】
電源アセンブリ１３０３は、装置１３００の多様なアセンブリに電力を供給する。電源アセンブリ１３０３は、電源管理システム、一つ以上の電源、及び装置１３００のための電力の生成、管理及び割り当てに関連付けられている他のアセンブリを含んでもよい。
【０１５２】
マルチメディアアセンブリ１３０４は、前記装置１３００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ１３０４は、一つのフロントカメラ、及び／又はリアカメラを含む。装置１３００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１５３】
オーディオアセンブリ１３０５は、オーディオ信号を入出力するように構成されてもよい。例えば、オーディオアセンブリ１３０５は、一つのマイク（ＭＩＣ）を含み、装置１３００が、例えば呼出しモード、記録モード、及び音声認識モード等の動作モードにある場合、マイクは外部のオーディオ信号を受信することができる。受信されたオーディオ信号は、さらにメモリ１３０２に記憶されたり、通信アセンブリ１３０８を介して送信されたりされる。上記の実施例において、オーディオアセンブリ１３０５は、オーディオ信号を出力するための一つのスピーカーをさらに含む。
【０１５４】
Ｉ／Ｏインターフェイス１３０６は、プロセスアセンブリ１３０１と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１５５】
センサアセンブリ１３０７は、装置１３００に各種の状態に対する評価を提供するための一つ以上のセンサを含む。例えば、センサアセンブリ１３０７は、装置１３００のＯＮ／ＯＦＦ状態、装置１３００のディスプレイとキーパッドのようなアセンブリの相対的な位置決めを検出できる。また、例えば、センサアセンブリ１３０７は、装置１３００、或は装置１３００の一つのアセンブリの位置変更、ユーザと装置１３００とが接触しているか否か、装置１３００の方位、又は加速／減速、装置１３００の温度の変化を検出できる。センサアセンブリ１３０７は、何れの物理的接触がない状態にて付近の物体の存在を検出するための近接センサを含んでもよい。センサアセンブリ１３０７は、撮影アプリケーションに適用するため、ＣＭＯＳ、又はＣＣＤ画像センサのような光センサを含んでもよい。上記の実施例において、当該センサアセンブリ１３０７は、加速度センサ、ジャイロスコープセンサ、磁気センサ、圧力センサ、及び温度センサをさらに含んでいてもよい。
【０１５６】
通信アセンブリ１３０８は、装置１３００と他の機器の間に有線、又は利便性のよい形態の通信を提供する。装置１３００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１３０８は、放送チャンネルを介して外部の放送管理システムからの放送信号、又は放送に関連する情報を受信する。一つの例示的な実施例において、前記通信アセンブリ１３０８は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１５７】
例示的な実施例において、装置１３００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１５８】
例示的な実施例において、さらに、命令を含むコンピュータ読取り可能な非一時的な記録媒体、例えば命令を含むメモリ１３０２を提供しており、装置１３００のプロセッサ１３２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０１５９】
一実施例の加湿器の水使用量取得装置は、
プロセッサと、
上記プロセッサが実行可能な命令を記憶するためのメモリと
を備え、
上記プロセッサは、
加湿待ち空間に対する加湿目標パラメータを取得し、
上記加湿目標パラメータに達するまでの加湿器に必要な水使用量を特定するし、
上記水使用量が付加されたプロンプト情報を出力するように構成される。
【０１６０】
上記プロセッサは、さらに、
上記加湿目標パラメータは、目標湿度、或いは、目標加湿時間の長さを含むように構成される。
【０１６１】
上記プロセッサは、さらに、
上記加湿目標パラメータが目標湿度であると、上記加湿目標パラメータに達するまでの加湿器に必要な水使用量を特定するステップは、
上記加湿待ち空間の空間面積及び現在湿度を取得するステップと、
上記加湿待ち空間の空間面積、現在湿度及び目標湿度に基づいて、上記目標湿度に達するまでの加湿器に必要な水使用量を特定するステップとを含むように構成される。
【０１６２】
上記プロセッサは、さらに、
上記加湿待ち空間の空間面積、現在湿度及び目標湿度に基づいて、上記目標湿度に達するまでの加湿器に必要な水使用量を特定するステップは、
以下の式に従って、上記目標湿度に達するまでの加湿器に必要な水使用量であるＶを特定するステップを含み、
Ｖ＝（ｔ１−ｔ０)×ｓ×ｗ１
その中、上記ｔ１は目標湿度であり、上記ｔ０は現在湿度であり、上記ｓは空間面積であり、上記ｗ１は第１係数であるように構成される。
【０１６３】
上記プロセッサは、さらに、
上記加湿目標パラメータが目標加湿時間の長さであると、上記加湿目標パラメータに達するまでの加湿器に必要な水使用量を特定するステップは、
上記加湿器のモータの回転速度を取得するステップと、
上記モータの回転速度及び目標加湿時間の長さに基づいて、上記目標加湿時間の長さに達するまでの加湿器に必要な水使用量を特定するステップとを含むように構成される。
【０１６４】
上記プロセッサは、さらに、
上記モータの回転速度及び目標加湿時間の長さに基づいて、上記目標加湿時間の長さに達するまでの加湿器に必要な水使用量を特定するステップは、
以下の式に従って、上記目標加湿時間の長さに達するまでの加湿器に必要な水使用量であるＶを特定するステップを含み、
Ｖ＝ｔ×ｖ× ｗ２；
その中、上記ｔは目標加湿時間の長さであり、上記ｖはモータの回転速度であり、上記ｗ２は第２係数であるように構成される。
【０１６５】
上記プロセッサは、さらに、
上記プロンプト情報を出力するステップは、
上記水使用量を表示するステップを含むように構成される。
【０１６６】
上記プロセッサは、さらに、
上記プロンプト情報を出力するステップは、
タンク内の水が上記水使用量に達した際に上記加湿器にリマインド情報を出力するようにするための上記プロンプト情報を、上記加湿器に送信するステップを含むように構成される。
【０１６７】
上記プロセッサは、さらに、
上記加湿器にバインディングされた端末が、上記加湿器が送信した上記リマインド情報を受信し、
上記端末が上記リマインド情報をディスプレイするように構成される。
【０１６８】
上記プロセッサは、さらに、
上記端末が上記リマインド情報をディスプレイするステップは、
上記端末が、音声、グラフ、テキスト、或いは、振動の方法によって、上記リマインド情報をディスプレイするステップを含むように構成される。
【０１６９】
コンピュータ読取り可能な非一時的な記録媒体は、当該記録媒体中の命令が装置１３００のプロセッサによって実行される際に、装置１３００に、上記の加湿器の水使用量取得方法を実行させる。
【０１７０】
上記方法は、
加湿待ち空間に対する加湿目標パラメータを取得するステップと、
上記加湿目標パラメータに達するまでの加湿器に必要な水使用量を特定するステップと、
上記水使用量が付加されたプロンプト情報を出力するステップとを含む。
【０１７１】
上記記録媒体中の命令において、さらに、
上記加湿目標パラメータは、目標湿度、或いは、目標加湿時間の長さを含む。
【０１７２】
上記記録媒体中の命令において、さらに、
上記加湿目標パラメータが目標湿度であると、上記加湿目標パラメータに達するまでの加湿器に必要な水使用量を特定するステップは、
上記加湿待ち空間の空間面積及び現在湿度を取得するステップと、
上記加湿待ち空間の空間面積、現在湿度及び目標湿度に基づいて、上記目標湿度に達するまでの加湿器に必要な水使用量を特定するステップとを含む。
【０１７３】
上記記録媒体中の命令において、さらに、
上記加湿待ち空間の空間面積、現在湿度及び目標湿度に基づいて、上記目標湿度に達するまでの加湿器に必要な水使用量を特定するステップは、
以下の式に従って、上記目標湿度に達するまでの加湿器に必要な水使用量であるＶを特定するステップを含み、
Ｖ＝（ｔ１−ｔ０)×ｓ×ｗ１、
その中、上記ｔ１は目標湿度であり、上記ｔ０は現在湿度であり、上記ｓは空間面積であり、上記ｗ１は第１係数である。
【０１７４】
上記記録媒体中の命令において、さらに、
上記加湿目標パラメータが目標加湿時間の長さであると、上記加湿目標パラメータに達するまでの加湿器に必要な水使用量を特定するステップは、
上記加湿器のモータの回転速度を取得するステップと、
上記モータの回転速度及び目標加湿時間の長さに基づいて、上記目標加湿時間の長さに達するまでの加湿器に必要な水使用量を特定するステップとを含む。
【０１７５】
上記記録媒体中の命令において、さらに、
上記モータの回転速度及び目標加湿時間の長さに基づいて、上記目標加湿時間の長さに達するまでの加湿器に必要な水使用量を特定するステップは、
以下の式に従って、上記目標加湿時間の長さに達するまでの加湿器に必要な水使用量であるＶを特定するステップを含み、
Ｖ＝ｔ×ｖ× ｗ２、
その中、上記ｔは目標加湿時間の長さであり、上記ｖはモータの回転速度であり、上記ｗ２は第２係数である。
【０１７６】
上記記録媒体中の命令において、さらに、
上記プロンプト情報を出力するステップは、
上記水使用量を表示するステップを含む。
【０１７７】
上記記録媒体中の命令において、さらに、
上記プロンプト情報を出力するステップは、
タンク内の水が上記水使用量に達した際に上記加湿器にリマインド情報を出力するようにするための上記プロンプト情報を、上記加湿器に送信するステップを含む。
【０１７８】
上記記録媒体中の命令において、さらに、
上記方法は、
上記加湿器にバインディングされた端末が、上記加湿器が送信した上記リマインド情報を受信するステップと、
上記端末が上記リマインド情報をディスプレイするステップとをさらに含む。
【０１７９】
上記記録媒体中の命令において、さらに、
上記端末が上記リマインド情報をディスプレイするステップは、
上記端末が、音声、グラフ、テキスト、或いは、振動の方法によって、上記リマインド情報をディスプレイするステップを含む。
【０１８０】
図１４は、例示的な一実施例に係る通信識別子処理装置１４００を示すブロック図である。例えば、装置１４００をサーバとして提供してもよい。図１４を参照すると、装置１４００は、プロセスアセンブリ１４１１を備える。当該プロセスアセンブリ１４１１は、一つ以上のプロセッサ、及びメモリ１４１２を代表とするメモリリソースを、さらに備える。当該メモリリソースは、プロセスアセンブリ１４１１によって実行される、例えばアプリケーションプログラムのような命令を保存する。メモリ１４１２中に保存されたアプリケーションプログラムには、それぞれ一つの命令のセットに対応する一つ以上のモジュールを含まれてもよい。なお、プロセスアセンブリ１４１１は、命令を実行することにより、上記の加湿器の水使用量取得方法を実行する。
【０１８１】
装置１４００は、装置１４００の電源を管理するための一つの電源アセンブリ１４１３、装置１４００をネットワークに接続させるための一つの有線又は無線のネットワークインターフェイス１４１４、及び、一つの入出力インターフェイス１４１５を備えてもよい。装置１４００は、メモリ１４１２に保存された、例えば、Ｗｉｎｄｏｗｓ  ＳｅｒｖｅｒＴＭ、Ｍａｃ  ＯＳ  ＸＴＭ、ＵｎｉｘＴＭ，  Ｌｉｎｕｘ（登録商標）ＴＭ、ＦｒｅｅＢＳＤＴＭのようなオペレーティング・システムによって、操作を行うことができる。
【０１８２】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明では公開されていない当該技術分野の公知の知識又は通常の技術手段を含む。明細書と実施例はただ例示として考慮され、本発明の本当の範囲と趣旨は以下の特許請求の範囲に記載される。
【０１８３】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【図１】
0006514323.tif 000002
【図２】
0006514323.tif 000003
【図３】
0006514323.tif 000004
【図４】
0006514323.tif 000005
【図５】
0006514323.tif 000006
【図６】
0006514323.tif 000007
【図７】
0006514323.tif 000008
【図８】
0006514323.tif 000009
【図９】
0006514323.tif 000010
【図１０】
0006514323.tif 000011
【図１１】
0006514323.tif 000012
【図１２】
0006514323.tif 000013
【図１３】
0006514323.tif 000014
【図１４】
0006514323.tif 000015